(57)【要約】      （修正有）【課題】製造コストを高めることなく、水密作用と屋外気圧の調整作用とを確実に奏する建築用ガスケットを提供。【解決手段】中空部を有する長尺の止水部１と脚部２とから構成され、前記脚部２に、その全幅に亘る略円形の通し孔３を間隔をおいて穿設し、当該通し孔３に、前記脚部２の中空部を複数の通気室４に仕切る仕切ピース５を、当該脚部２の全幅に亘って装填し、前記脚部２の中空部へ空気を流通させる略円形の流通孔６を、前記仕切ピース５に隣接して互い違いに穿設してなる構造を備え、前記仕切ピース５は、ゴム素材の押出成形により円柱状に成形されると共に、その側面に、当該仕切ピース５の長手方向に走る溝７が全周に亘って波状に刻設され、当該仕切ピース５の断面における波底円の径は前記通し孔３の径にほぼ等しく、且つ、当該仕切ピース５の断面における波頭円の径は前記通し孔３に装填できる寸法を限度として前記通し孔３の径より大きく設定した。【選択図】      図１
2006104926.tif 000002
【特許請求の範囲】
【請求項１】
ゴム素材の押出成形により一体に成形した、それぞれが中空部を有する長尺の止水部（１）と脚部（２）とから構成され、前記脚部（２）に、その全幅に亘る略円形の通し孔（３）を間隔をおいて穿設し、当該通し孔（３）に、前記脚部（２）の中空部を複数の通気室（４）に仕切る仕切ピース（５）を、当該脚部（２）の全幅に亘って装填し、前記脚部（２）の中空部へ空気を流通させる略円形の流通孔（６）を、前記仕切ピース（５）に隣接して互い違いに穿設してなる構造を備え、
前記仕切ピース（５）は、ゴム素材の押出成形により円柱状に成形されると共に、その側面に、当該仕切ピース（５）の長手方向に走る溝（７）が全周に亘って波状に刻設され、当該仕切ピース（５）の断面における波底円の径は前記通し孔（３）の径にほぼ等しく、且つ、当該仕切ピース（５）の断面における波頭円の径は前記通し孔（３）に装填できる寸法を限度として前記通し孔（３）の径より大きく設定された建築用ガスケット。
【請求項２】
ゴム素材の押出成形により一体に成形した、それぞれが中空部を有する長尺の止水部（１）と脚部（２）とから構成され、前記脚部（２）に、その全断面に亘る一定長の切欠部（８）を間隔をおいて穿設し、当該切欠部（８）に、前記脚部（２）の中空部を複数の通気室（９）に仕切ると共に、当該切欠部（８）の両側に隣接する脚部片（２０）を連結する仕切ピース（１０）を装着してなる構造を備え、
前記仕切ピース（１０）は、前記切欠部（８）の両側に隣接した脚部片（２０）の側壁（１１）及び底壁（１２）に連続する側壁（１３）及び底壁（１４）、並びにそれらに囲まれた凹部を仕切る隔壁（１５）を備え、前記脚部（２）の中空部へ空気を流通させる凹欠部（１６）を、前記隔壁（１５）に隣接して互い違いに穿設してなる建築用ガスケット。
【請求項３】
ゴム素材の押出成形により一体に成形した、中空部を有する長尺の脚部（２）と、当該脚部（２）の表面にその長手方向に沿って相互に離隔して平行に立設された複数のヒレ（２２）からなる止水部（１）と、から構成され、
前記脚部（２）に、その全幅に亘る略円形の通し孔（３）を間隔をおいて穿設し、当該通し孔（３）に、前記脚部（２）の中空部を複数の通気室（４）に仕切る仕切ピース（５）を、当該脚部（２）の全幅に亘って装填し、前記脚部（２）の中空部へ空気を流通させる略円形の流通孔（６）を、前記仕切ピース（５）に隣接して互い違いに穿設してなる構造を備え、
前記仕切ピース（５）は、ゴム素材の押出成形により円柱状に成形されると共に、その側面に、当該仕切ピース（５）の長手方向に走る溝（７）が全周に亘って波状に刻設され、当該仕切ピース（５）の断面における波底円の径は前記通し孔（３）の径にほぼ等しく、且つ、当該仕切ピース（５）の断面における波頭円の径は前記通し孔（３）に装填できる寸法を限度として前記通し孔（３）の径より大きく設定された建築用ガスケット。
【請求項４】
ゴム素材の押出成形により一体に成形した、中空部を有する長尺の脚部（２）と、当該脚部（２）の表面にその長手方向に沿って相互に離隔して平行に立設された複数のヒレ（２２）からなる止水部（１）と、から構成され、
前記脚部（２）に、その全断面に亘る一定長の切欠部（８）を間隔をおいて穿設し、当該切欠部（８）に、前記脚部（２）の中空部を複数の通気室（９）に仕切ると共に、当該切欠部（８）の両側に隣接する脚部片（２０）を連結する仕切ピース（１０）を装着してなる構造を備え、
前記仕切ピース（１０）は、前記切欠部（８）の両側に隣接した脚部片（２０）の側壁（１１）及び底壁（１２）に連続する側壁（１３）及び底壁（１４）、並びにそれらに囲まれた凹部を仕切る隔壁（１５）を備え、前記脚部（２）の中空部へ空気を流通させる凹欠部（１６）を、前記隔壁（１５）に隣接して互い違いに穿設してなる建築用ガスケット。
【発明の詳細な説明】
【技術分野】
【０００１】
本発明は、建築物の外壁の目地部にシール部材として用いられる建築用ガスケットに関する。
【背景技術】
【０００２】
建築用ガスケットは、外壁の目地部を介した雨水等の建築物内への侵入を防止すべく用いられるものであるが、同時に、従来より、内外気圧を等しくする為の通気口が、雨水等の浸入防止に配慮しつつ設けられた建築用ガスケットも紹介されている（例えば、下記特許文献１参照）。
【０００３】
【特許文献１】特許第３４６８９３１号公報
【０００４】
前記従来の建築用ガスケットは、連続押出し加硫により、それぞれが中空部を有する止水用保持片と取付脚片とを一体に形成した長尺のガスケット本体を形成し、該ガスケット本体の前記取付脚片に所定間隔で凹欠部を形成し、該凹欠部に仕切り板を嵌め込み、前記取付脚片に複数の中空室を形成すると共に、該中空室へ空気を導入するための通気孔を、前記仕切り板に隣接して千鳥状に穿設した構造を特徴とする。
【発明の開示】
【発明が解決しようとする課題】
【０００５】
しかしながら、前記従来の建築用ガスケットは、製造段階において、前記凹欠部を穿設する工程、及び当該凹欠部に仕切り板を嵌め込み接着する工程、並びに前記通気孔を穿設する工程を伴うことが製造コストを高める要因となっており、前記凹欠部への仕切り板の嵌合が不十分とならない様に、当該凹欠部に仕切り板を嵌め込んだ後に糊等で確実に接着しなければならないと言う問題があった。
【０００６】
本発明は、上記問題点を解決するためになされたもので、その目的は、製造コストを高めることなく、水密作用と屋外気圧の調整作用とを確実に奏する建築用ガスケットを提供することにある。
【課題を解決するための手段】
【０００７】
上記課題を解決するためになされた本発明による第一の建築用ガスケットは、前記従来の建築用ガスケットは、ゴム素材の押出成形により一体に成形した、それぞれが中空部を有する長尺の止水部と脚部とから構成され、前記脚部に、その全幅に亘る略円形の通し孔を間隔をおいて穿設し、当該通し孔に、前記脚部の中空部を複数の通気室に仕切る仕切ピースを、当該脚部の全幅に亘って装填し、前記脚部の中空部へ空気を流通させる略円形の流通孔を、前記仕切ピースに隣接して互い違いに穿設してなる構造を備え、前記仕切ピースは、ゴム素材の押出成形により円柱状に成形されると共に、その側面に、当該仕切ピースの長手方向に走る溝が全周に亘って波状に刻設され、当該仕切ピースの断面における波底円の径は前記通し孔の径にほぼ等しく、且つ、当該仕切ピースの断面における波頭円の径は当該仕切ピースの弾性や形状に応じ、前記通し孔に装填できる寸法を限度として前記通し孔の径より大きく設定されたことを特徴とする。
【０００８】
ゴム素材の押出成形とは、生ゴムやエラストマの様に弾性を備えた一様な断面の長尺成形物の成形が押出成形によって行われる事を意味する。
【０００９】
前記脚部の全幅に亘って穿設する略円形の通し孔とは、前記中空部に相当する空間を含めて当該脚部を直線的に横切る孔であって、その実態としては、当該脚部の両側の側壁に前記仕切ピースの内径とほぼ等しい円状を直線的に投影した孔とする場合が多い。当該投影方向は、実際に目地部に取り付けた際に、建築用ガスケットの長手方向に対して室内側から室外側へ下向きの傾斜を持たせることが望ましい。
【００１０】
前記流通孔について、前記仕切ピースに隣接して互い違いに穿設するとは、例えば、当該仕切ピースによって仕切られた隣接する二つの通気室の相反する側の側壁に、前記流通孔が当該仕切ピースに隣接してそれぞれ一つずつ設けられた場合、一対の流通孔を結ぶ直線が、当該仕切ピースと交差する様に設けることである。それ以外にも、必要に応じて、前記仕切ピースの存在とは無関係に、相反する側の側壁に流通孔が互いに向かい合わない状態で設けても良い。
【００１１】
前記仕切ピースの側面に刻設される溝について、仕切ピースの長手方向に走る溝とは、当該溝が前記通し孔に対して当該仕切ピースが進入する方向に伸びる溝を言い、全周に亘って形作られる波状は、矩形波、三角波、正弦波、或いは鋸波の何れであっても良い。また、ここで、前記波底円とは、前記仕切ピースの断面において各溝の最深部を繋ぐことにより形作られる仮想円を指し、前記波頭円とは、前記仕切ピースの断面において各溝の最頂部を繋ぐことにより形作られる仮想円を指す。
【００１２】
上記課題を解決するためになされた本発明による第二の建築用ガスケットは、ゴム素材の押出成形により一体に成形した、それぞれが中空部を有する長尺の止水部と脚部とから構成され、前記脚部に、その全断面に亘る一定長の切欠部を間隔をおいて穿設し、当該切欠部に、前記脚部の中空部を複数の通気室に仕切ると共に、当該切欠部の両側に隣接する脚部片を連結する仕切ピースを装着してなる構造を備え、前記仕切ピースは、前記切欠部の両側に隣接した脚部片の側壁及び底壁に連続する側壁及び底壁、並びにそれらに囲まれた凹部を仕切る隔壁を備え、前記脚部の中空部へ空気を流通させる凹欠部を、前記隔壁に隣接して互い違いに穿設してなることを特徴とする。
【００１３】
前記止水部は、ゴム素材の押出成形により一体に成形した、中空部を有する長尺の脚部と、当該脚部の表面にその長手方向に沿って相互に離隔して平行に立設された複数のヒレからなる止水部と、から構成してもよく、前記脚部を、パネルやフレームに嵌合し得る、例えば、クサビ状等のアンカー部を具備した構成としても良い。
前記凹欠部について、前記仕切ピースの隔壁に隣接して互い違いに穿設するとは、例えば、当該隔壁によって仕切られた隣接する二つの通気室の相反する側の側壁に、前記凹欠部が当該隔壁に隣接してそれぞれ一つずつ設けられた場合、一対の凹欠部を結ぶ直線が、当該隔壁と交差する様に設けることである。尚、前記切欠部には、当該仕切ピースを位置決めする為の凹凸を適宜設けることもある。
【発明の効果】
【００１４】
上記構造を持った本発明による第一の建築用ガスケットによれば、前記仕切ピースを装填する為の通し孔と通気孔の双方を穿設する必要はあるものの、双方共に略円形の孔の穿設工程であることから比較的低いコストに止めることができる。また、前記円柱状の仕切ピースを当該略円形の通し孔に装填する構成を採ることによって、前記脚部における通し孔周辺の強度を大きく損なうこともなくなる。
【００１５】
また、前記仕切ピースを、ゴム素材の押出成形により円柱状に成形すると共に、その側面に、当該仕切ピースの長手方向に走る溝を全周に亘って波状に刻設し、当該仕切ピースの断面における波底円の径は前記通し孔の径にほぼ等しく、且つ、当該仕切ピースの断面における波頭円の径は前記通し孔に装填できる寸法を限度として前記通し孔の径より大きく設定した構成とすることによって、前記通し孔への仕切ピースが比較的容易となるにも関わらず、当該ガスケット本体と仕切ピースとの弾性が相俟ってその嵌合が不十分となる事がなく、当該通し孔に仕切ピースを嵌め込んだ後に糊等で接着することなく十分な接合強度が得られる。また、糊等で接着する場合にも、前記仕切ピースの波状の側面状態によって糊付け時の作業性や接着強度も良好となる。この様に、煩雑な作業手間が回避出来るので、製造工程が極めて効率の良いものとなる。
【００１６】
上記構造を持った本発明による第二の建築用ガスケットによれば、前記脚部に切欠部を穿設し、前記仕切ピースを装着する必要はあるものの、当該仕切ピースに通気孔となる凹欠部、及び前記中空部を仕切る隔壁が設けられているので、通気孔等その他の孔の穿設工程や、前記中空部を仕切る部材の装着工程は必要ないことから比較的低い製造コストに止めることができる。
【発明を実施するための最良の形態】
【００１７】
以下、本発明による建築用ガスケット（以下、ガスケットと記す）の実施の形態を、パネルの目地部に当該ガスケットを用いたパネル１７の保持構造の一例に基づき図面を示しつつ説明する。
【００１８】
ここで示す第一のガスケットは、パネル１７が連続的に配列した状態で貼り付けられる壁面、もしくは屋根面において、隣接するパネル１７，１７間の目地部に図５の如く介在し水密性を保持するガスケットであって、シリコンゴム、クロロプレンゴム、エチレンプロピレンゴム、ポリエチレン、ポリウレタン、ポリ塩化ビニル等の弾性保持力が高く耐候性の高いゴム素材を用いた押出成形により長尺の止水部１と脚部２とをそれぞれが一連の中空部を有する様に一体成形したガスケット本体１８と、前記脚部２の中空部を仕切る仕切ピース５を備えたものである（図２参照）。
【００１９】
前記脚部２は、横長の長方形状の断面形状を有し、その全幅を等しい傾斜を以て横切る略円形の通し孔３が一定の間隔をおいて穿設されている。当該通し孔３の中央部は、当該脚部２の中空部と同化し、見かけ上は、当該脚部２の両側に面する側壁１１，１１に、一対の丸孔が、当該側壁１１，１１の長手方向へ僅かにずれた位置関係で設けられている様な外観となる（図１参照）。
【００２０】
前記通し孔３には、前記脚部２の中空部を複数の通気室４に仕切る仕切ピース５が、当該脚部２の全幅に亘って装填される。その際、当該仕切ピース５は、前記通し孔３の傾斜、即ち、前記丸孔が設けられた位置の僅かなずれによって、前記ガスケット本体１８がパネル１７の目地部に、その長手方向が上下を指す状態で装着された状態で、当該パネル１７の屋内側から屋外側へ下向きに傾斜する様に装填されることとなる（図１（Ａ）（Ｂ）参照）。
【００２１】
当該仕切ピース５は、前記ガスケット本体１８と同様の素材を用いた連続押出加硫により円柱状に成形されると共に、その側面に、当該仕切ピース５の長手方向に走る１８本（適宜変更可能）の溝７が全周に亘って三角波状に刻設され(図３参照)、当該仕切ピース５の断面における波底円の径は、前記通し孔３の直径、及び前記脚部２が備える中空部の高さにほぼ等しく、且つ、当該仕切ピース５の断面における波頭円の径は前記通し孔３の径より約一割程度大きく設定されている（図４参照）。
【００２２】
前記脚部２の中空部に形成された複数の通気室４には、それぞれの通気室４へ空気を流通させる略円形の流通孔６が、当該脚部２の両側に面した側壁１１，１１に、前記仕切ピース５に隣接して互い違いに穿設されている。即ち、前記流通孔６は、両側壁１１，１１に一つずつ、当該ガスケット本体１８に装填された仕切ピース５に対し当該ガスケット本体１８の長手方向の相反する方向に振り分けて穿設され、一方は、前記仕切ピース５の傾斜の下端における上位に、他方は、前記仕切ピース５の傾斜の上端における下位に穿設されている（図１（Ａ）（Ｂ）参照）。
【００２３】
この様な構成を採ることによって、前記ガスケット本体１８がパネル１７，１７間の目地部に、その長手方向が上下を指す状態で装着された際、前記前記脚部２の中空部を仕切ピース５により仕切る事で得られた複数の通気室４に浸入した水分を屋外に誘導して当該通気室４内に滞留することを防止することができると共に、外部の風雨が、パネル１７の屋外側から屋内側へ直接吹き込む事を防止できる。更に、それぞれの通気室４を囲う側壁１１には、外部の風雨が、パネル１７の屋外側から屋内側へ直接吹き込む事が回避できる位置関係で流通孔６が適宜追加されている。
【００２４】
一方、前記止水部１は、二等辺三角形状の断面形状を有し、三つの角にそれぞれ丸みが与えられ、特にその頂角の丸みは、他の角と比較して十分緩やかなカーブとなっている(図４参照)。当該止水部１は、壁面を被うパネル１７の目地部に装着された際には、図５の如く前記頂角の部分が扁平に変形し、当該目地部からの風雨の浸入を確実に遮る事となる。
【００２５】
第二のガスケットは、前記第一のガスケットと同様に、パネル１７が連続的に配列した状態で貼り付けられる壁面、もしくは屋根面において、隣接するパネル１７，１７間の目地部に介在し水密性を保持するガスケットであって、シリコンゴム、クロロプレンゴム、エチレンプロピレンゴム、ポリエチレン、ポリウレタン、ポリ塩化ビニル等の弾性保持力が高く耐候性の高いゴム素材を用いた押出成形により長尺の止水部１と脚部２とをそれぞれが一連の中空部を有する様に一体成形したガスケット本体１９と、前記脚部２の中空部を仕切る仕切ピース１０を備えたものである（図６参照）。
【００２６】
前記脚部２は、横長の長方形状の断面形状を有し、その全断面に亘る一定長の切欠部８を間隔をおいて穿設し、当該切欠部８に、当該切欠部８によって脚部２が分断されて成る当該切欠部８の両側に隣接する脚部片２０を連結する仕切ピース１０を装着してなる構造を備えたものである（図６（Ａ）（Ｂ）参照）。
【００２７】
前記仕切ピース１０は、金型を用いた成形品であって、前記切欠部８の両側に隣接した脚部２の側壁１１及び底壁１２に連続する側壁１３及び底壁１４、並びにそれらに囲まれた凹部を仕切る隔壁１５を備え、当該仕切ピース１０の装着によって前記脚部２の中空部を複数の通気室９に仕切る構造を有している。前記隔壁１５は、前記ガスケット本体１９がパネル１７の目地部に、その長手方向が上下を指す様に装着された状態で、当該パネル１７の屋内側から屋外側へ下向きに傾斜する様に設けてあり、前記脚部２の中空部へ外部からの空気を流通させる凹欠部１６が、当該隔壁１５に隣接して互い違いに穿設されている（図７参照）。
【００２８】
即ち、前記切欠部８への当該仕切ピース１０の装着によって、前記脚部２の中空部には、前記隔壁１５によって仕切られた複数の通気室９が形成されるが、前記仕切ピース１０の側壁１３，１３には、各側壁１３に一つずつ方形状の凹欠部１６が、前記隔壁１５に対し当該ガスケット本体１９の長手方向の相反する方向に振り分けて穿設され、一方は、前記隔壁１５の傾斜の下端における上位に、他方は、前記隔壁１５の傾斜の上端における下位に穿設されている（図６（Ａ）（Ｂ）参照）。
【００２９】
この様な構成を採り、前記仕切ピース１０を装着する切欠部８が、適度な間隔をおいて穿設されることによって、前記ガスケット本体１９がパネル１７の目地部に、その長手方向が上下を指す状態で装着された際、前記前記脚部２の中空部を仕切ピース１０の隔壁１５で仕切る事により得られた複数の通気室９に浸入した水分を屋外に誘導し当該通気室９内に滞留することを防止することができると共に、外部の風雨がパネル１７の屋外側から屋内側へ直接吹き込む事を防止できる。
【００３０】
尚、前記切欠部８を穿設する間隔とは、最寄りの仕切ピース１０の凹欠部１６が、パネル１７の屋外側から屋内側へ外部の風雨が直接吹き込む事を回避できる位置関係となる間隔である。
【００３１】
当該第二のガスケットの止水部１も、前記第一のガスケットと同様に、二等辺三角形状の断面形状を有し、三つの角にそれぞれ丸みが与えられ、特にその頂角の丸みは、他の角と比較して十分緩やかなカーブとなっている（図４参照）。当該止水部は、壁面を被うパネル１７の目地部に装着された際には、図５の如く前記頂角の部分が扁平に変形し、当該目地部からの風雨の浸入を確実に遮る事となる。
【００３２】
本発明によるガスケットの止水部１としては、上記二等辺三角形状の断面形状を有する中空の止水部の他に、ゴム素材の押出成形により一体に成形した、脚部の表面にその長手方向に沿って相互に離隔して平行に立設された複数のヒレからなる止水部を採用し、比較的強度の弱いパネル材等に対する弱い圧着をもってしても良好な止水性を得ることが出来る構造としてもよい。図８及び図９に示した例は、一対のヒレ２２，２２を脚部２における表面の両端縁から起立する形で設けられたものであって、両ヒレ２２，２２は、パネルの左張り仕様となる場合と右張り仕様となる場合に備えて、その止水効果を高めるべく幅方向の片方（設置時における外側）へ等しく沿った形状となっている。当該両ヒレ２２，２２の間の空隙の存在によって、前記第一及び第二のガスケットの止水部１と同様に良好な止水効果が得られることとなる。
【００３３】
当該例における脚部２は、前記第一及び第二のガスケットで示した底面が扁平な脚部を具備してパネル１７の端面に貼着される形態の他、パネルやフレーム等の端面に設けられた保持溝（図示省略）に嵌合し得る、例えば、クサビ状等のアンカー部２１を具備した構成としても良い。即ち、アンカー部２１は、例えば、中空押出成形により上記止水部１、及び前記第一又は第二のガスケットと同様に成形された脚部２と共に一体成形された中空形状であって、当該アンカー部には、その両側面に対照的に張り出した当該ガスケットの全長に亘る二条の掛止ヒレが、当該アンカー部の基端側に反る形態で設けられている（例えば、図８及び図９参照）。これら脚部２にあっては、前記図に示す様に適宜フサギ板２３を装着することによって、ガスケットの端面から通気室４へ雨水等が浸入する事を防止することが出来る。
【産業上の利用可能性】
【００３４】
本発明による建築用ガスケットは、壁面に張られたパネルの目地部における水密性を担保しつつ、屋内側と屋外側の気圧を等しくする措置を採り、且つそれによる風雨の吹き込みを防止する目的が課されているので、通常の建築用ガスケットと比較して製造上コスト高となることは避けられないが、当該目的を達成する建築用ガスケットが本願発明の様により安価となることによって、屋内側と屋外側の気圧の不均衡により躯体に生じる様々な問題点を安価に解決し、また、防止することが出来る。
【図面の簡単な説明】
【００３５】
【図１】（Ａ）は、本発明による建築用ガスケットの一例における脚部の横断面図、（Ｂ）は、その下面図、（Ｃ）は（Ｂ）のＡ−Ａ矢視断面図、（Ｄ）は（Ｂ）のＢ−Ｂ矢視断面図、（Ｅ）は（Ｂ）のＣ−Ｃ矢視断面図、（Ｆ）は（Ｂ）のＤ−Ｄ矢視断面図である。
【図２】本発明による建築用ガスケットの一例の外観を現した斜視図である。
【図３】本発明による建築用ガスケットの一例に用いる仕切ピースの外観を現した斜視図である。
【図４】図１（Ｆ）の拡大図、及び図３に表した仕切ピースの断面図である。
【図５】本発明による建築用ガスケットの実施態様例を示す横断面図である。
【図６】（Ａ）は、本発明による建築用ガスケットの一例における脚部の横断面図、（Ｂ）は、その下面図、（Ｃ）は（Ｂ）のＡ−Ａ矢視断面図、（Ｄ）は（Ｂ）のＢ−Ｂ矢視断面図、（Ｅ）は（Ｂ）のＣ−Ｃ矢視断面図、（Ｆ）は（Ｂ）のＤ−Ｄ矢視断面図である。
【図７】本発明による建築用ガスケットの一例の外観をガスケット本体と仕切ピースとを分解した状態で現した斜視図である。
【図８】（Ａ）は、本発明による建築用ガスケットの一例における脚部の横断面図、（Ｂ）は、本発明による建築用ガスケットの一例を示す上面図である。
【図９】（Ａ）は、図８のＡ−Ａ矢視断面図、（Ｂ）はＢ−Ｂ矢視断面図、（Ｃ）はＣ−Ｃ矢視断面図、（Ｄ）はＤ−Ｄ矢視断面図、（Ｅ）はＥ−Ｅ矢視断面図、（Ｆ）は脚部の空隙孔を封鎖した状態の端面図、（Ｇ）脚部の空隙孔を開放した状態の端面図である。
【符号の説明】
【００３６】
１  止水部，２  脚部，３  通し孔，
４  通気室，５  仕切ピース，  ６  流通孔，７  溝，８  切欠部，
９  通気室，１０  仕切ピース，１１  側壁，１２  底壁，
１３  側壁，１４  底壁，１５  隔壁，１６  凹欠部，１７  パネル，
１８  ガスケット本体，１９  ガスケット本体，２０  脚部片，
２１  アンカー部，２２  ヒレ，２３  フサギ板，
【図１】
2006104926.tif 000003
【図２】
2006104926.tif 000004
【図３】
2006104926.tif 000005
【図４】
2006104926.tif 000006
【図５】
2006104926.tif 000007
【図６】
2006104926.tif 000008
【図７】
2006104926.tif 000009
【図８】
2006104926.tif 000010
【図９】
2006104926.tif 000011